(57)【要約】【課題】ユーザーが折り畳み式電子装置を容易に開くことのできるような折り畳み式電子装置に適用できるファスナーモジュールを提供する。【解決手段】互いに枢動可能にジョイントされた第１ボディおよび第２ボディを有する折り畳み式電子装置に適用できるファスナーモジュールであって、ファスナーモジュールは第１ファスナーと第２ファスナーと制御回路と磁気要素とを含む。第１ファスナーが第１ボディ中に配置されるとともに、磁気感応性を有する。第２ファスナーが第２ボディ中に配置されるとともに、第１ファスナーと留められるのに適している。制御回路が折り畳み式電子装置中に配置される。磁気要素が折り畳み式電子装置中に配置されるとともに、制御回路に連結される。磁気要素が制御回路により制御されて、第１ファスナーを第２ファスナーに係留するよう駆動するために、第１ファスナーに磁力を印加するか否かを決定する。【選択図】図１
2008084313.tif 000002
【特許請求の範囲】
【請求項１】
第１ボディおよび前記第１ボディに枢動可能にジョイントされた第２ボディを有する折り畳み式電子装置に適用するのに適するファスナーモジュールであって、前記ファスナーモジュールは：
前記第１ボディ中に配置されるとともに、磁気感応性を有する第１ファスナーと；
前記第２ボディ中に配置されるとともに、前記第１ファスナーに留められるのに適している第２ファスナーと；
前記折り畳み式電子装置中に配置された制御回路と；
前記第１ボディまたは前記第２ボディ中に配置されるとともに、前記制御回路に連結されて、前記第１ボディおよび前記第２ボディがクローズ状態にあることを前記制御回路に知らせるトリガー信号を提供するセンサーと；
前記折り畳み式電子装置中に配置されるとともに、前記制御回路に連結された磁気要素とを含み、前記制御回路により磁気要素を制御し磁力を前記第１ファスナーに印加して前記第１ファスナーを前記第２ファスナーに留めるよう駆動するかどうかを決定する、ファスナーモジュール。
【請求項２】
前記第１ファスナーがフックを含み、前記第２ファスナーがホールを含む、請求項１記載のファスナーモジュール。
【請求項３】
前記磁気要素が前記第１ファスナーに予め決定された時間だけ磁力を印加した後、前記制御回路が、前記磁気要素を前記第１ファスナーへの前記磁力の印加を停止するよう制御する、請求項１記載のファスナーモジュール。
【請求項４】
前記制御回路が：
前記磁気要素に連結されたスイッチ要素と；
前記スイッチ要素および前記センサーに連結されて、前記スイッチ要素が電力を前記磁気要素に供給するか否か制御するコントローラーとを含む、請求項１記載のファスナーモジュール。
【請求項５】
前記制御回路が更に：
前記スイッチ要素および前記コントローラーに連結される電力供給器を含み、前記コントローラーは、前記電力供給器から電力を前記磁気要素に供給するか否かについて前記スイッチ要素を制御する、請求項４記載のファスナーモジュール。
【請求項６】
さらに：
前記第１ボディ中に配置されて、前記第１ファスナーおよび第２ファスナー間の係留を解除する解除機構を含む、請求項１記載のファスナーモジュール。
【請求項７】
前記磁気要素が電磁石である請求項１記載のファスナーモジュール。
【発明の詳細な説明】
【技術分野】
【０００１】
この発明は、ファスナーモジュールに関し、特に、折り畳み式電子装置に適用できる磁力により制御されるファスナーモジュールに関する。
【背景技術】
【０００２】
半導体素子およびディスプレイ技術の発展によって、電子装置は、次第に、小型・多機能・運搬に便利な方向へ進歩してきている。折り畳み式電子装置は、その面積を効果的に減少できるため広く応用されている。通常の折り畳み式電子装置には、携帯（情報）端末（パーソナルデジタルアシスタント）、携帯電話、ノートブックコンピューターなどがある。
【０００３】
例えば、通常のノートブックコンピューターは、２つのパーツを含む。即ち、ディスプレイおよびホスト部であり、互いに枢動可能にジョイントされている。ホスト部について言えば、ディスプレイが上へ持ち上げられてオープン状態となり、下へ閉じられてクローズ状態となる。ノートブックコンピューターが使用されない時、ディスプレイがホスト部を覆うので、ディスプレイ、キーボードおよび他の損傷しやすい要素はケース内に覆われて良好に保護される。ある不安定な状況、例えば、ノートブックコンピューターがユーザーによって運ばれる場合あるいは衝撃を受ける場合、ノートブックコンピューターは、さらに、クローズ状態を維持するためのファスナーを必要としており、それによりノートブックコンピューターが誤って開くことを防止する。
【０００４】
従来の純機械式ファスナーは、ほとんどがフックとホールと復元要素とを含んでいる。ノートブックコンピューターの２つのパーツは、フックが一度ホールに入れられて一緒に固定されると、クローズ状態が維持され、復元要素はフックおよびホール間の係留を確保するために使用されるようになっている。しかしながら、フックがノートブックコンピューターボディの表面から突出しているので、ボディの外観全体に悪い影響を及ぼすとともに、損傷を受けやすい。従って、ボディ表面下に隠されたフックを有するファスナーが開発されている。
【０００５】
特許文献１は、ノートブックコンピューターのファスナーモジュールを開示しており、ファスナーモジュールはフックと、ホールと、永久磁石とを含む。フックがノートブックコンピューター中に配置されるとともに、磁気感応性を有しており、ホールおよび永久磁石がノートブックコンピューターのディスプレイ中にある。ノートブックコンピューターがオープン状態にある時、フックがホスト部中に水平に隠れている。ノートブックコンピューターがクローズ状態にある時、磁気感応性を有するフックは永久磁石により引っ張られて水平位置から起立し、ホールに留められる。フックがホスト部中に収納可能となっているので、ノートブックコンピューターを使用するユーザの邪魔にならない。
【特許文献１】台湾特許No. M270634
【発明の開示】
【発明が解決しようとする課題】
【０００６】
ファスナーについて、ノートブックコンピューターが使用されない時、永久磁石を使用することによりフックがホスト部中に収納可能となっている。しかしながら、永久磁石より提供される磁力は、継続的な磁力であるから、ノートブックコンピューターを開くために、ユーザーは、永久磁石の磁力よりも大きな力をかけなければならないので、使用において不便となる。
【０００７】
そこで、この発明の目的は、ユーザーが折り畳み式電子装置を容易に開くことのできる折り畳み式電子装置に適用できるファスナーモジュールを提供することにある。
【課題を解決するための手段】
【０００８】
ここに具体的かつ広範囲に記述するように、この発明は、第１ボディおよび第１ボディに枢動可能にジョイントされた第２ボディを有する折り畳み式電子装置に適用されるファスナーモジュールを提供する。ファスナーモジュールは、第１ファスナーと第２ファスナーと制御回路とセンサーと磁気要素とを含む。第１ファスナーは、第１ボディ中に配置されるとともに、磁気感応性を有する。第２ファスナーは、第２ボディ中に配置されるとともに、第１ファスナーに留められるのに適している。制御回路が折り畳み式電子装置内部に配置される。センサーが第１ボディまたは第２ボディ中に配置されるとともに、制御回路に連結されて、第１ボディおよび第２ボディがクローズ状態にあることを制御回路に知らせるトリガー信号を提供する。磁気要素が折り畳み式電子装置中に配置されるとともに、制御回路に連結され、制御回路により制御され磁力を第１ファスナーに印加して第１ファスナーを第２ファスナーに留めるよう駆動するかどうかを決定する。
【０００９】
この発明の実施形態では、第１ファスナーがフックを含み、第２ファスナーがホールを含む。
【００１０】
この発明の実施形態では、第１ファスナーに予め決定された時間だけ磁力を印加した後、制御回路が、磁気要素を第１ファスナーへの前記磁力の印加を停止するよう制御する。
【００１１】
この発明の実施形態では、制御回路が、磁気要素に連結されたスイッチ要素とコントローラとを含む。スイッチ要素は磁気要素に連結されており、コントローラはスイッチ要素およびセンサーに連結されて、電力を磁気要素に供給するか否かについてスイッチ要素を制御する。
【００１２】
この発明の実施形態では、制御回路が更にスイッチ要素およびコントローラーに連結された電力供給器を含み、前記コントローラーは電力供給器から電力を磁気要素に供給するか否かについてスイッチ要素を制御する。
【００１３】
この発明の実施形態では、ファスナーモジュールが更に第１ボディ中に配置され第１ファスナーおよび第２ファスナー間の係留を解除する解除機構を含む。
【００１４】
この発明の実施形態では、磁気要素が電磁石である。
【発明の効果】
【００１５】
この発明中、磁気要素が第１ファスナーに継続的に磁力を印加するものではなく、折り畳み式電子装置が閉じている時、第１ファスナーへの磁力の印加を停止する。従って、折り畳み式電子装置を開く時、磁気要素の磁力に打ち勝つ必要がないため、小さな力で折り畳み式電子装置を容易に開くことができる。
【発明を実施するための最良の形態】
【００１６】
以下、この発明を実施するための最良の形態を図面に基づいて説明する。
図１は、この発明の実施形態にかかるファスナーモジュールを採用した折り畳み式電子装置を示す。図２は、図１中のファスナーモジュールを示す。
【００１７】
図１と図２とにおいて、例えば、この実施形態中の折り畳み式電子装置５０は、ノートブックコンピューターであるが、携帯（情報）端末または携帯電話のような他の折り畳み式電子装置とすることもできるので、この発明は折り畳み式電子装置５０に何ら限定されるものではない。
【００１８】
折り畳み式電子装置５０は、第１ボディ５２と、第１ボディ５２に枢動可能にジョイントされた第２ボディ５４とを含む。第１ボディ５２と第２ボディ５４とがクローズ状態にある時、第１ボディ５２および第２ボディ５４間の相互位置を固定するために、折り畳み式電子装置５０は、更にファスナーモジュール１００を含む（図２を参照）。
【００１９】
ファスナーモジュール１００は、第１ファスナー１１０と、第２ファスナー１２０と、制御回路１３０と、センサー１４０と、磁気要素１５０とを含む。第１ファスナー１１０は、第１ボディ５２中に配置され磁気感応性を有するフック（図示せず）を含む。第２ファスナー１２０は、第２ボディ５４中に配置され  第１ファスナー１１０との係留に適したホール（図示せず）を含む。第１ファスナー１１０および第２ファスナー１２０の例としては、特許文献1を参照できるが、この発明において限定されるものではない。
【００２０】
制御回路１３０は、折り畳み式電子装置５０中に配置される。センサー１４０は、第１ボディ５２または第２ボディ５４中に配置されるとともに、制御回路１３０と連結されて、第１ボディ５２および第２ボディ５４がクローズ状態にあることを知らせるトリガー信号を制御回路１３０に提供する。磁気要素１５０は、折り畳み式電子装置５０中に配置されるとともに、制御回路１３０と連結され、磁気要素１５０が制御回路１３０により制御されて、第１ファスナー１１０を第２ファスナー１２０に係留するよう駆動するために、第１ファスナー１１０に磁力を印加するか否かを決定する。
【００２１】
この実施形態中、制御回路１３０は、スイッチ要素１３２と、コントローラー１３４と、電力供給器１３６とを含む。スイッチ要素１３２が磁気要素１５０に連結される。コントローラー１３４がスイッチ要素１３２およびセンサー１４０に連結される。電力供給器１３６がスイッチ要素１３２およびコントローラー１３４に連結されるとともに、コントローラー１３４がスイッチ要素１３２を制御して、電力供給器１３６から電力を磁気要素１５０に供給するかあるいは非供給とする。
【００２２】
この実施形態中、磁気要素１５０は、電磁石であり、永久磁石ではない。また、磁気要素１５０が予め決定された時間だけ磁力を第１ファスナー１１０に印加した後、制御回路１３０は第１ファスナー１１０への磁力の印加を停止するよう磁気要素１５０を制御する。また、ファスナーモジュール１００は、更に、第１ボディ５２中に配置された解除機構１６０を含んでおり、解除機構は第１ファスナー１１０および第２ファスナー１２０間の係留を解除する。解除機構１６０の例としては、特許文献１を参照できるが、この発明においてそれに限定されるものではない。
【００２３】
ユーザーが折り畳み式電子装置５０を閉じる時、センサー１４０が第１ボディ５２および第２ボディ５４の相互接近動作を検知するとともに、トリガー信号を制御回路１３０へ送信する。トリガー信号を受信すると、制御回路１３０が磁気要素１５０を制御して、第１ファスナー１１０に磁力を印加するよう制御し、第２ファスナー１２０に第１ファスナー１１０を係留するとともに、第１ボディ５２および第２ボディ５４をクローズ状態に固定する。とりわけ、センサー１４０からトリガー信号を受信する時、コントローラー１３４がスイッチ要素１３２を制御して電力供給器１３６に電力を磁気要素１５０へ供給させるので、磁気要素１５０が磁力を発生するとともに、第１ファスナー１１０および第２ファスナー１２０が一緒に留められる。
【００２４】
磁気要素１５０が磁力を第１ファスナー１１０に印加して第１ファスナー１１０を第２ファスナー１２０に係留させた後、制御回路１３０が磁気要素１５０を制御して第１ファスナー１１０への磁力の印加を停止させるから、折り畳み式電子装置５０を開く時、ユーザーは、磁力に打ち勝つ必要がなく、電力を節約できる。この時、磁力が第１ファスナー１１０に印加されていないので、折り畳み式電子装置５０を開くために、ユーザーは、解除機構１６０を使用して第１ファスナー１１０および第２ファスナー１２０間の係留を解除するだけで良く、ユーザーは、磁力に打ち勝つことなく、折り畳み式電子装置５０を容易に開くことができる。
【００２５】
当業者であれば容易に理解できるように、この発明の技術思想の範囲を逸脱することなく、適当な変更ならびに修正が当然に本発明の構造になされうるものである。上述した内容を考慮すれば、その特許権保護の範囲は、特許請求の範囲および、それと均等な範囲内に入ることを条件として、本発明への変更、修正は本発明に包含されることを意図する。
【図面の簡単な説明】
【００２６】
【図１】この発明の実施形態にかかるファスナーモジュールを採用した折り畳み式電子装置を示す斜視図である。
【図２】図１中のファスナーモジュールを示す構成図である。
【符号の説明】
【００２７】
５０  折り畳み式電子装置
５２  第１ボディ
５４  第２ボディ
１００  ファスナーモジュール
１１０  第１ファスナー
１２０  第２ファスナー
１３０  制御回路
１３２  スイッチ要素
１３４  コントローラー
１３６  電力供給器
１４０  センサー
１５０  磁気要素
１６０  解除機構
【図１】
2008084313.tif 000003
【図２】
2008084313.tif 000004
【外国語明細書】
2008084313000001.pdf